(57)【要約】【課題】液晶表示装置の色調整を簡便かつ廉価な手法で可能とすること。【解決手段】実装プレート１や反射板３の反射面に顔料もしくは染料を塗布したり、あるいは、所望の色の紙等を載置するなどして、これらの反射面を有色面としている。実装プレート１の反射面は、白色ＬＥＤの発光色とは異なる色度座標の白色光を反射する有色反射面とされ、反射板３も同様に、白色ライトの発光色とは異なる色度座標の白色光を反射する有色反射板とされているので、液晶ディスプレイに表示される「白」も当該反射光の「白色」となる。このため、実装プレート１の反射面や反射板３を用いて「青みの白」、「黄みの白」などに変換して光源の色とすることができる。【選択図】図１
2008281976.tif 000002
【特許請求の範囲】
【請求項１】
白色ライトの発光色とは異なる色度座標の白色光を反射する有色反射板を供えている液晶表示装置用バックライト。
【請求項２】
実装プレート上に白色ＬＥＤがアレイ状に配置されたＬＥＤバックライトであって、前記実装プレートの反射面は前記白色ＬＥＤの発光色とは異なる色度座標の白色光を反射する有色反射面である液晶表示装置用バックライト。
【請求項３】
前記白色ＬＥＤは、加法混色により白色光を得ることが可能なマルチチップ型フルカラーＬＥＤである請求項２に記載の液晶表示装置用バックライト。
【請求項４】
前記実装プレート上に、加法混色により白色光を得ることが可能なマルチチップ型フルカラーＬＥＤとシングルチップ型白色ＬＥＤが組み合わされてアレイ状に配置されている請求項２に記載の液晶表示装置用バックライト。
【請求項５】
前記有色反射板または前記実装プレートの反射面に、顔料もしくは染料が塗布されている請求項１乃至４の何れか１項に記載の液晶表示装置用バックライト。
【請求項６】
前記有色反射板または前記実装プレートの反射面に、有色紙が設けられている請求項１乃至４の何れか１項に記載の液晶表示装置用バックライト。
【請求項７】
前記有色反射板または前記実装プレートの反射面が乱反射面である請求項１乃至６の何れか１項に記載の液晶表示装置用バックライト。
【請求項８】
前記マルチチップ型フルカラーＬＥＤの近傍領域と前記シングルチップ型白色ＬＥＤの近傍領域の前記実装プレートの反射面の色が異なる請求項４に記載の液晶表示装置用バックライト。
【請求項９】
前記有色反射板または前記実装プレートの反射面に金属膜が設けられている請求項１乃至８の何れか１項に記載の液晶表示装置用バックライト。
【請求項１０】
前記金属膜の表面に塗料または顔料が塗布されている請求項９に記載の液晶表示装置用バックライト。
【発明の詳細な説明】
【技術分野】
【０００１】
本発明は、液晶表示装置に用いられるバックライト技術に関する。
【背景技術】
【０００２】
液晶ディスプレイは液晶自体が自己発光しないため、バックライトを用いて外部から照射光を照明することが必要であり、このバックライトとして、蛍光ランプ（冷陰極管）や発光ダイオード（ＬＥＤ）あるいはエレクトロルミネッセンス（ＥＬ）を光源として用いたものがあるが、従来は蛍光ランプを光源とするバックライトが主流であった。
【０００３】
しかし、蛍光ランプの点灯には、数十ｋＨｚの周波数の高電圧（７００Ｖ程度）をランプ両端に印加させることが必要であることから、微小浮遊容量を介して電流漏れが発生したり断線や短絡等が生じ易いという問題がある。また、蛍光ランプから得られる白色光は青みがかっており、高い色再現性を得るためには白色度の点で十分とはいえない。さらに、蛍光ランプには管内放電を容易にするために水銀が使用されているが、環境有害物質である水銀の使用は環境保護の観点から好ましくない。
【０００４】
これに対して、ＬＥＤをバックライト用光源として用いると、長寿命で衝撃にも強く断線等も生じ難いこと、色純度に優れていること、低電圧動作素子であるために取扱いや安全性に優れ小型軽量化が容易であること、輝度の時間変化が少ないこと、電流値に対する発光量の直線性が良好で且つ応答速度が速いこと等の利点があり、ＬＥＤバックライトに関する研究開発が進められてきている。特に、青色ＬＥＤ実用化の後は、ＬＥＤのもつ優れた色再現性や低環境負荷という利点を生かして、実用化に向けた研究開発が加速してきており、ＬＥＤバックライトユニットの構成は、液晶パネル（拡散板）とその背面側にＬＥＤバックライトを配置する構成（特許文献１など）と、ＬＥＤからの光を液晶表示パネルの背面に設けた導光板の側面から入射させ、導光板背面の反射シートで多重反射させて導光板中を導波させながら液晶表示パネル側に導く構成（特許文献２など）に大別される。
【０００５】
ところで、ディスプレイに表示される画像の「白色」に対する好みは、各国ごとに微妙に異なる。一般に、日本（やアジアの一部の国）では、表示画像の「白色」を色度座標上の「白」に合わせてしまうと高級感を感じ難くなる傾向があるとされており、そのため、このような購買者向けには出荷段階で予め、表示画像の「白色」が色度座標上における「青白」となるように予め設定している。これとは逆に、欧米人は、このような「青白」い白色を好まないために、表示画像の「白色」が色度座標上での「白色」となるように設定する必要がある。このような好みは、国毎に異なるから、出荷先の国民の好みに応じて、「黄みの白」や「緑みの白」に調整することも必要となり得る。
【０００６】
通常、このような出荷段階での色調整（色補正）は、液晶ディスプレイの駆動回路制御によってカラーフィルタを通過する光度を調整する、あるいはカラーフィルタの構成（例えば、赤青緑の比率を変更する）という手法により行われる。つまり、色の三原色である赤、緑、および青の色の光がカラーフィルタを通過する光量を調整して、「白色」が所望の白色座標のものとなるように調整するのである。これは、現状での一般的な液晶表示装置では、カラーフィルタの構成（例えば、赤青緑の比率）が固定されているためである。
【０００７】
しかし、このような色調整は複雑・煩雑であるから、より簡便な手法で色調整が可能となれば、製造コストの低減が期待されるところである。
【特許文献１】特開２００４−１２７８４４号公報
【特許文献２】特開２００５−１４２０７８号公報
【発明の開示】
【発明が解決しようとする課題】
【０００８】
本発明は、このような問題に鑑みてなされたもので、その目的とするところは、液晶表示装置の製造・出荷段階での色調整（色補正）を、液晶ディスプレイの駆動回路制御によることなく、より簡便かつ廉価な手法で可能とすることにある。
【課題を解決するための手段】
【０００９】
このような課題を解決するために、第１の発明は、白色ライトの発光色とは異なる色度座標の白色光を反射する有色反射板を供えている液晶表示装置用バックライトである。
【００１０】
また、第２の発明は、実装プレート上に白色ＬＥＤがアレイ状に配置されたＬＥＤバックライトであって、前記実装プレートの反射面は前記白色ＬＥＤの発光色とは異なる色度座標の白色光を反射する有色反射面である液晶表示装置用バックライトである。
【００１１】
第２の発明は、前記白色ＬＥＤを、加法混色により白色光を得ることが可能なマルチチップ型フルカラーＬＥＤとすること、あるいは、前記実装プレート上に、加法混色により白色光を得ることが可能なマルチチップ型フルカラーＬＥＤとシングルチップ型白色ＬＥＤが組み合わされてアレイ状に配置されている構成の液晶表示装置用バックライトとすることができる。
【００１２】
本発明のバックライトが備える有色反射板または前記実装プレートは、その反射面に顔料もしくは染料が塗布されているものとしたり、あるいは、有色紙が設けられたものとすることができる。
【００１３】
好ましくは、前記有色反射板または前記実装プレートの反射面は、乱反射面とされる。
【００１４】
また、第２の発明において、前記マルチチップ型フルカラーＬＥＤの近傍領域と前記シングルチップ型白色ＬＥＤの近傍領域の前記実装プレートの反射面の色が異なるように構成することもできる。
【００１５】
このような有色反射板や実装プレートは、その反射面に金属膜を設けるようにしてもよく、該金属膜の表面に塗料や顔料を塗布するようにしてもよい。
【発明の効果】
【００１６】
本発明によれば、実装プレートの反射面や反射板を、白色ＬＥＤや白色ライトの発光色とは異なる色度座標の白色光を反射する有色のものとしたので、これらの面で反射した光の色は白色ＬＥＤや白色ライトのものとは異なる色度座標の白色光となり、その結果、液晶ディスプレイに表示される「白」も当該反射光の「白色」となって簡便かつ廉価な手法での色調整（色補正）が可能となる。
【００１７】
また、低消費電力で輝度確保が可能なシングルチップ方式の白色ＬＥＤと、高い演色性と色再現性の確保が可能なマルチチップ方式のフルカラーＬＥＤとを組み合わせることとすれば、液晶表示装置の簡便かつ廉価な手法での色調整（色補正）が可能となることに加え、高演色性と色再現性の確保と輝度を確保した上での低消費電力化の両立が可能となる。
【発明を実施するための最良の形態】
【００１８】
以下に、図面を参照して、本発明の実施の態様について説明する。
【実施例１】
【００１９】
図１は、本発明の液晶表示装置用バックライトの態様を説明するための側面図（一部）で、図１（Ａ）および図１（Ｂ）は、拡散板２に対向して設けられた実装プレート１の上に白色ＬＥＤがアレイ状に配置されたＬＥＤバックライトであり、図１（Ｃ）は、拡散板２と反射板３との間に、例えば冷陰極管式の白色ライト（Ｌ）を光源として備えている液晶表示用バックライトである。
【００２０】
なお、図１（Ａ）では加法混色により白色光を得ることが可能なマルチチップ型フルカラーＬＥＤ（Ｒ，Ｇ，Ｂ）が用いられており、図１（Ｂ）ではシングルチップ型白色ＬＥＤ（Ｗ）が用いられている。図１（Ａ）に示した態様のバックライトでは、ＲＧＢ各色を発光する３つのＬＥＤ（Ｒ，Ｇ，Ｂ）からの発光が拡散板２面上に照射されて加法混色され、白色光が得られる。なお、実際の実装プレート上には、このようなＬＥＤやライトが複数配置されているが、ここでは図示を省略している。
【００２１】
本発明のバックライトでは、実装プレート１の反射面は、白色ＬＥＤ（図１（Ａ）の態様ではＲＧＢの３ＬＥＤからなる「白色ＬＥＤ」、図１（Ｂ）の態様では白色ＬＥＤ（Ｗ））の発光色とは異なる色度座標の白色光を反射する有色反射面とされ、反射板３も同様に、白色ライト（Ｌ）の発光色とは異なる色度座標の白色光を反射する有色反射板とされている。
【００２２】
従来の一般的な液晶表示装置で用いられている反射板を用いた場合には、ＬＥＤやライトの発光色がそのまま光源の色となり、基本的には色度座標上での「白色」の光が得られ、その結果、液晶ディスプレイに表示される「白」も色度座標上での「白色」となる。これに対して、実装プレート１の反射面や反射板３を、白色ＬＥＤや白色ライトの発光色とは異なる色度座標の白色光を反射する有色のものとした場合には、これらの面で反射した光の色は白色ＬＥＤや白色ライトのものとは異なる色度座標の白色光となり、その結果、液晶ディスプレイに表示される「白」も当該反射光の「白色」となる。
【００２３】
つまり、本発明においては、図２に示したように、ＬＥＤやライトの発光色が例えば色度図上の「白」（Ｗ：色度座標（０．３３，０．３３））の場合に、この色を実装プレート１の反射面や反射板３を用いて「青みの白」（ａ）、「緑みの白」（ｂ）、「黄みの白」（ｃ）、「赤みの白」（ｄ）などに変換して光源の色とするのである。このような有色の反射面や反射板を得るには、例えば、実装プレート１や反射板３の反射面に顔料もしくは染料を塗布したり、あるいは、所望の色の紙等を載置するなどの方法がある。なお、実装プレート１の反射面や反射板３の全面がこのような有色領域である必要は必ずしもない。
【００２４】
なお、このような実装プレートや有色反射板は、高輝度化の観点から高反射率の材料で形成されることは好ましいことは言うまでもないが、その反射面を乱反射面としておくと、バックライト光が拡散板側に均一に照射されるという利点がある。このような乱反射面は、物理的に面を荒らすことのほか、微細なガラス片等を混ぜた塗料を塗布する等の手法により得ることができる。
【実施例２】
【００２５】
本実施例は、実装プレート上に、加法混色により白色光を得ることが可能なマルチチップ型フルカラーＬＥＤとシングルチップ型白色ＬＥＤが組み合わされてアレイ状に配置されている液晶表示装置用バックライトに関する。
【００２６】
図３は、このようなＬＥＤを備えた実装プレートを上方から見た場合の概念図で、図３（Ａ）では、マルチチップ型フルカラーＬＥＤ（Ｒ，Ｇ，Ｂ）の周辺部に第１の有色領域（Ｃ１）を設ける一方、シングルチップ型白色ＬＥＤ（Ｗ）の周辺部には第１の有色領域（Ｃ１）とは異なる色の第２の有色領域（Ｃ２）を設けている。
【００２７】
液晶表示装置用バックライトをマルチチップ型フルカラーＬＥＤのみで構成した場合、バックライト光源としての充分な輝度の確保を重視すれば消費電力が大きくなり、低消費電力化を図ろうとすると輝度が不足してしまうという問題がある。一方、シングルチップ型白色ＬＥＤのみでバックライトを構成した場合には、充分な輝度を得ることはできるものの、液晶表示装置に求められる高い演色性や色再現性を満足することが困難であるという問題がある。
【００２８】
そこで、本実施例においては、低消費電力で輝度確保が可能なシングルチップ方式の白色ＬＥＤと、高い演色性と色再現性の確保が可能なマルチチップ方式のフルカラーＬＥＤとを組み合わせ、これらのＬＥＤを実装プレート上のＸＹ平面内で適切に配置し、これにより、高演色性と色再現性の確保と輝度を確保した上での低消費電力化の両立を可能とするＬＥＤバックライトを実現している。
【００２９】
そして、この場合には、マルチチップ型フルカラーＬＥＤ（Ｒ，Ｇ，Ｂ）から得られる「白色」とシングルチップ型白色ＬＥＤ（Ｗ）から得られる「白色」は必ずしも同じ色度座標上にはないから、実装プレートの反射面を単一の色度座標の色とすることはできない。そこで、図３（Ａ）に示したように、マルチチップ型フルカラーＬＥＤ（Ｒ，Ｇ，Ｂ）の周辺部とシングルチップ型白色ＬＥＤ（Ｗ）の周辺部とで反射面の色を僅かに変えることとして、反射の結果として得られる「白色」の度合いが概ね同じ色度座標を有するように工夫されている。なお、例えば図３（Ｂ）のように、上記第１の有色領域（Ｃ１）と第２の有色領域（Ｃ２）を、ストライプ状に設けるようにしてもよい。
【００３０】
つまり、本実施例の構成とした場合には、液晶表示装置の製造・出荷段階での色調整（色補正）が、液晶ディスプレイの駆動回路制御によることなく、簡便かつ廉価な手法で可能となることに加え、高演色性と色再現性の確保と輝度を確保した上での低消費電力化の両立が可能となる。
【００３１】
上述の実施例の反射板や実装プレート（プリント基板）は、その反射面に金属の膜を形成する態様とすることもできる。このような金属膜は、銅（Ｃｕ）などの金属箔を反射板や実装プレート（プリント基板）の反射面に貼ったり、あるいは金属箔の上に、鉛フリー半田、錫−鉛半田、錫−銀−銅半田などを半田メッキするなどして形成することができる。
【００３２】
この場合にも、反射させたい光の波長に応じて、金属膜の反射光の「色」が選択される。例えば、金属膜が銅である場合には、反射光は赤味がかった色となる。また、反射光を白色に近い色としたい場合には、錫−銀−銅半田が好ましい。反射板や実装プレート（プリント基板）の反射面にこのような金属膜を設けることとすると、プリント基板そのものを「反射板」として利用することができるという利点に加え、金属膜の高い熱伝導性により反射面からの熱拡散が促進されるという利点もある。
【００３３】
なお、金属膜の表面に酸化防止のための表面処理を施したり、金属膜上に反射光色調整のための塗料や顔料を塗装やシルク印刷などの手法で塗布するようにしてもよい。
【産業上の利用可能性】
【００３４】
本発明は、液晶表示装置の色調整（色補正）のための、簡便かつ廉価な手法を提供する。
【図面の簡単な説明】
【００３５】
【図１】本発明の液晶表示装置用バックライトの態様を説明するための側面図（一部）である。
【図２】「白色」の色調整を色度座標上で示した図である。
【図３】マルチチップ型フルカラーＬＥＤとシングルチップ型白色ＬＥＤが組み合わされてアレイ状に配置されている実装プレートを上方から見た場合の概念図である。
【符号の説明】
【００３６】
１  実装プレート
２  拡散板
３  反射板
【図１】
2008281976.tif 000003
【図２】
2008281976.tif 000004
【図３】
2008281976.tif 000005